(57)【要約】【課題】歯科用うがい鉢をカバー部材にて着脱自在にカバーをすることにより、カバー部材を交換するだけでうがい鉢のメンテナンスを可能とし、うがい鉢を洗う手間を省き、更には、うがい鉢の汚損を防止することができる。【解決手段】図１（Ａ）は、本発明が適用される歯科用うがい鉢、図１（Ｂ）は、本発明によるうがい鉢カバー部材で、該カバー部材３１は、厚みの薄い合成樹脂或いは紙で成形されたカバー部材で、下部外表面の形状がうがい鉢３１の内部表面形状に合致しており、うがい鉢３１内に挿入した時に、該うがい鉢３１に嵌合して該うがい鉢３１内にすっぽり収まる。【選択図】図１
2006115988.tif 000002
【特許請求の範囲】
【請求項１】
歯科用うがい鉢のカバー部材であって、該カバー部材は、厚さの薄い合成樹脂又は紙から成り、下部外表面の形状が歯科用うがい鉢の内部表面形状に合致し、該歯科用うがい鉢の内部に着脱自在にすっぽり嵌入されるものであることを特徴とする歯科用うがい鉢のカバー部材。
【請求項２】
前記カバー部材の排水口下部に該カバー部材と一体に或いは該カバー部材に対して着脱自在に、ゴミ除け部材を有することを特徴とする請求項１に記載の歯科用うがい鉢のカバー部材。
【請求項３】
前記カバー部材の排出口の上部に該カバー部材と一体に或いは該カバー部材に対して着脱自在に、外表面が円錐状に傾斜したキャップ部材を有することを特徴とする請求項１又は２に記載の歯科用うがい鉢のカバー部材。
【請求項４】
前記カバー部材は、前記歯科用うがい鉢を含むスピットン上面全体を覆うカバー部材であることを特徴とする請求項１乃至３のいずれかに記載の歯科用うがい鉢のカバー部材。
【発明の詳細な説明】
【技術分野】
【０００１】
本発明は、歯科用うがい鉢のカバー部材に係り、より詳細には、歯科用うがい鉢に着脱自在にカバーをすることにより、カバー部材を交換するだけでうがい鉢のメンテナンスを可能とし、うがい鉢を洗う手間を省き、更には、うがい鉢の汚損を防止し、更には、ゴミ除けとセットで使用可能にして、カバー部材交換時、ゴミも一緒に取り除けるようにした歯科用うがい鉢のカバー部材に関する。
【背景技術】
【０００２】
図５は、本発明が適用されるうがい鉢及びスピットンを備えた歯科治療ユニットの一例を説明するための概略構成図で（特許文献１参照）、図中、１０は歯科治療ユニットを示し、該ユニット１０は、治療椅子１，ワークテーブル２，うがい鉢３１を含むスピットン３０，給排水ボックス４，インスツルメントホルダ５，フットスイッチ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
図６は、従来の歯科治療ユニットにおける給排水系統の一例を説明するための要部概略構成図で、図中、３１はうがい鉢、１１は鉢洗い水供給管、１２は電磁弁、１３はうがい水供給管、１４は電磁弁、１５は排水管で、周知のように、歯科治療中、又は治療後に、患者はうがい水供給管１３から噴出される水（噴水式）、或いは、うがい水供給管１３からの水をコップに受けて（コップ式）、口腔内をうがいし、うがいした水を鉢３１内に吐き捨てる。上述のごとき、うがい等によって汚れた鉢３１は、鉢洗い水供給管１１から供給される水で洗われ、うがい水と共に吐き出された血液、唾液等の汚液は排水管１５を通して排出される。
【０００４】
一方、うがい水と共に吐き出された汚物、例えば、歯牙の破片、歯牙修復のための充填材の破片等は、ゴミ除け部材、例えば、フィルタ１６によりトラップされ、トラップされたゴミはアシスタント等により、時々、取り除かれる。
【０００５】
図７は、上述のごときゴミ除け部材の一例を示す要部構成図で、図中、３１はうがい鉢，１６はゴミ除け部材（フィルタ），１７は蓋（キャップ）部材で、該ゴミ除け部材１６は底部及び／又は側壁に液体を通し、ゴミ等をトラップする小さな孔を多数有し、中央には、蓋（キャップ）部材１７を着脱自在に支持する支持柱１６ａが設けられており、この支持柱１６ａの上に蓋（キャップ）部材１７が着脱自在に配設されており、ゴミ除け部材１６に溜ったゴミ等が外部から見えないようにしている。
【特許文献１】特開２００４−１５４４５３号公報
【発明の開示】
【発明が解決しようとする課題】
【０００６】
本発明は、上述のごとき歯科用うがい鉢において、うがい鉢に対して着脱自在のカバー部材を設け、下記の改善を図ったものである。
（１）うがい鉢にカバー部材を被せることにより、カバー部材を交換するだけでうがい鉢のメンテナンスができ、うがい鉢を洗う手間を省くことができる。
（２）患者ごとにカバー部材を交換することにより、非常に衛生的に歯科治療を行うことができ、患者へのサービス、アピールができる。
（３）うがい鉢に直接、水、薬液などがかからなくなるため、うがい鉢が汚れにくくなり耐久性が上がる。
（４）カバー部材に色を付けるなどすることができ、ファッション性を上げることができる。
（５）カバー部材にゴミ除け機能をもたせることにより、カバー部材を交換するだけで、ゴミも一緒に取り除くことができる。
（６）カバー部材に鍔を付けることにより、患者がうがい鉢上にうまくうがいができなくても、該鍔部がうがい水を受けることができ、うがい鉢の周囲を汚さなくて済むようにすることができる。
（７）うがい鉢およびコップ置きなどを含むスピットン部をカバーするようにすることにより、スピットン部全体を清潔な状態で使うことができ、更には、汚れたら交換できるので、単に、カバー部材を取り換えるだけでスピットン部の上面全体を一度に清掃することができ、スピットン部のメンテナンスが容易で、スタッフの負担を軽減することができる。
【課題を解決するための手段】
【０００７】
請求項１のカバー部材は、歯科用うがい鉢のカバー部材であって、該カバー部材は、厚さの薄い合成樹脂又は紙から成り、下部外表面の形状が歯科用うがい鉢の内部表面形状に合致し、該歯科用うがい鉢の内部に着脱自在にすっぽり嵌入されるものであることを特徴とする。
【０００８】
請求項２のカバー部材は、請求項１に記載された歯科用うがい鉢のカバー部材において、前記カバー部材の排水口下部に該カバー部材と一体に或いは該カバー部材に対して着脱自在に、ゴミ除け部材を有することを特徴とする。
【０００９】
請求項３のカバー部材は、請求項１又は２に記載された歯科用うがい鉢のカバー部材において、前記カバー部材の排出口の上部に該カバー部材と一体に或いは該カバー部材に対して着脱自在に、外表面が円錐状に傾斜したキャップ部材を有することを特徴とする。
【００１０】
請求項４のカバー部材は、請求項１乃至３のいずれかに記載された歯科用うがい鉢のカバー部材において、前記歯科用うがい鉢を含むスピットン上面全体を覆うカバー部材であることを特徴とする。
【発明の効果】
【００１１】
（１）歯科用うがい鉢にカバー部材を着脱自在に被せるようにすることにより、カバー部材を交換するだけで、うがい鉢のメンテナンスをすることができ、うがい鉢を洗う手間を省くことができる。
（２）患者ごとにカバー部材を交換すれば、非常に衛生的に歯科治療を行うことができ、患者へのサービス、アピールができる。
（３）うがい鉢に直接、水、薬液などがかからなくなるため、うがい鉢が汚れにくくなり耐久性が上がる。
（４）カバー部材に色を付けるなどして、ファッション性を上げることができる。
（５）通常、うがい鉢はゴミ除け部材とセットで使われているため、ゴミ除け部材にゴミがたまれば清掃する必要が出てくるが、カバー部材にゴミ除け機能をもたせることにより、カバー部材を交換するだけで、ゴミも一緒に取り除くことができる。
（６）カバー部材に鍔を付けることにより、患者がうがい鉢上にうまくうがいができなくても、吐き出したうがい水を該鍔部で受けることにより周囲を汚さなくて済む。
（７）うがい鉢およびコップ置きなどを含むスピットン部の上部全体をカバーするようにすることにより、全体的に清潔な状態で使うことができ、更には、汚れたら交換できるので、単にカバー部材を交換するだけで、スピットン部上面全体を一度に清掃することができ、スピットン部のメンテナンスが容易で、スタッフの負担を軽減することができる。
【発明を実施するための最良の形態】
【００１２】
図１は、本発明による歯科用うがい鉢のカバー部材の一実施例を説明するための要部概略斜視図で、図１（Ａ）は、本発明が適用される歯科用うがい鉢で、該うがい鉢は、図５に示したスピットン３０の鉢３１に相当する。図１（Ｂ）は、本発明によるうがい鉢のカバー部材で、該カバー部材３１は、厚みの薄い合成樹脂或いは紙などで成形されたカバー部材で、その下部外表面計形状はうがい鉢３１の内部表面形状と合致しており、図１（Ａ）に示したうがい鉢３１内に装着した時に、該うがい鉢３１内にすっぽり収まるように形成されている。
【００１３】
上記カバー部材によれば、
・うがい３１鉢にカバー部材３１を着脱自在に装着することにより、換言すれば、カバー部材３１を交換するだけでうがい鉢３１のメンテナンスができるため、うがい鉢を洗う手間を省くことができる。
・患者ごとにカバー部材３１を交換すれば、非常に衛生的に歯科治療を行うことができ、患者へのサービス、アピールができる。
・うがい鉢３１に直接、水、薬液などがかからなくなるため、うがい鉢が汚れにくくなり、耐久性が上向する。
・カバー部材３１に色を付けるなどすることで、ファッション性を上げることができる。
等の利点がある。
【００１４】
図２は、本発明によるカバー部材の他の実施例を説明するための要部斜視図で、図２（Ａ）はうがい鉢３１の内部がよく見えるように描いた図、図２（Ｂ）はうがい鉢３１の下部がよく見えるように描いた図で、図中、３２は、カバー部材３１の排水口下部に設けられたゴミ除け部材を示し、該ゴミ除け部材３２は、カバー部材３１に着脱自在に或いは一体的に設けられ、図５に示したゴミ除け部材１６と同様に作用し、カバー部材３１内に排出された汚物、例えば、歯牙の破片、脱脂綿、歯牙修復のための充填材の破片等をトラップする。３３は、カバー部材３１の排水口の上部に着脱自在に或いは一体的に被せて使用するキャップ部材で、該キャップ部材３３は、図６に示したキャップ１７と同様に作用し、カバー部材３１内に吐き出された汚水がうがい鉢の上方にはね返らないように、換言すれば、患者が吐いた汚水が横方向に飛散してうがい鉢からはね出さないように、外表面を傾斜面に、例えば、図示例のように、円錐状に形成されており、更には、カバー部材にゴミ除け部材が付いている場合には、ゴミ除け部材内のゴミが直接見えないようにしている。
【００１５】
なお、ゴミ除け部材３２とキャップ部材３３との間には、汚物を通過させるのに十分な隙間を有するが、この隙間は、高さ方向の隙間であっても径方向の隙間であっても構わない。また、ゴミ除け部材３２とキャップ部材３３を別体に構成し、いずれか一方のみを使用するようにしても、両者を組み合せて同時使用するようにしてもよく、更には、これらゴミ除け部材３２とキャップ部材３３を予め一体的に構成しておき、この一体物をカバー部材３１に着脱自在に取り付けるようにしても、或いは、予めカバー部材３１に一体的に取り付けておいてもよい。
・通常、うがい鉢はゴミ除け部材とセットで使われているため、ゴミ除け部材にゴミがたまれば、清掃する必要が出てくるが、このように、カバー部材にゴミ除け機能を持たせることにより、カバー部材を交換するだけで、ゴミも一緒に取り除くことができる。
【００１６】
図３は、本発明によるカバー部材の他の実施例を説明するための概略斜視図で、この実施例は、図１或いは図２に示したカバー部材３１の上部周辺に、内側に向って下降するように傾斜した鍔３１’を設けたもので、この鍔３１’を患者の方向に向けてうがい鉢３１に装着することにより、患者は、この鍔３１’の上にうがい水を吐き出すことができ、身体を鉢の上まで移動させることなく、換言すれば、身体をそれ程動かすことなく、うがいをすることができる。なお、図３に示したカバー部材においては、鍔３１’をカバー部材３１の一部に設けた例を示したが、全周に設けることも可能であり、全周に設ければ、鍔部３１’を患者の方向に向けるよう気を配ることなくカバー部材をうがい鉢に装着することができる。
・このように、カバー部材に鍔を付けることにより、患者がうまく鉢内にうがいができなくても、周囲を汚さなくて済む。
【００１７】
図４は、本発明によるカバー部材の他の実施例を説明するための斜視図で、図４（Ａ）は、図５に示したスピットン３０の斜視図、図４（Ｂ）は、該スピットン３０をカバーするカバー部材で、該カバー部材３０は、うがい鉢およびコップ置きなどのスピットン部上部全体をカバーするようにしたものである。
・このカバー部材３０をスピットン３０部の上部に着脱自在に被せるようにすることにより、スピットン部上面を全体的に清潔な状態で使えるようにすることができ、該カバー部材３０は汚れたら交換できるので、うがい鉢やコップ置きなどを含むスピットン部上面全体を、単に該カバー部材３０を取り換えるだけで、一度に清掃することができ、メンテナンスが容易で、スタッフの負担を軽減することができる。
【図面の簡単な説明】
【００１８】
【図１】本発明による歯科用うがい鉢のカバー部材の一実施例を説明するための斜視図である。
【図２】本発明による歯科用うがい鉢のカバー部材の他の実施例を説明するための斜視図である。
【図３】本発明による歯科用うがい鉢のカバー部材の他の実施例を説明するための斜視図である。
【図４】本発明による歯科用うがい鉢のカバー部材の他の実施例を説明するための斜視図である。
【図５】本発明が適用される鉢及びスピットンを有する歯科用治療ユニットの一例を説明するための斜視図である。
【図６】従来の歯科治療ユニットにおける給排水系統の一例を説明するための要部概略構成図である。
【図７】ゴミ除け部材の一例を示す要部構成図である。
【符号の説明】
【００１９】
１…治療椅子、２…ワークテーブル、３０…スピットン、３１…うがい鉢、４…給排水ボックス、５…インスツルメントホルダ、６…フットスイッチ、７…アシスタントインスツルメントホルダ、８…種々のインスツルメント、９…安頭台、１０…歯科治療ユニット、１１…鉢洗い水供給管、１２，１４…電磁弁、１３…うがい水供給管、１５…スピットン排水管、１６…ゴミ除け装置の容器本体（フィルタ）、１６ａ…支持柱、１７…蓋部材（ゴミ除けキャップ）、１７ａ…羽根、３０…スピットン用カバー部材、３１…うがい鉢用カバー部材、３２…ゴミ除け部材、３３…キャップ部材。
【図１】
2006115988.tif 000003
【図２】
2006115988.tif 000004
【図３】
2006115988.tif 000005
【図４】
2006115988.tif 000006
【図５】
2006115988.tif 000007
【図６】
2006115988.tif 000008
【図７】
2006115988.tif 000009